(57)【特許請求の範囲】
【請求項１】
第１飲料水容器を真っ直ぐに保持するか、第２飲料水容器を斜めに保持するかを選択して用いることのできる、ボトルホルダーであって、
前記第１飲料水容器または前記第２飲料水容器の底部を受ける底受部を有し、平坦部に接合材を用いて固定される第１部分、および
前記第１部分の上部に接合され、前記第１飲料水容器が倒れようとしたときに前記第１飲料水容器の側部が係止されるリング状の第１転倒防止部と、前記第２飲料水容器を傾けた状態で前記第２飲料水容器の側部下面を受ける側受部と、前記第２飲料水容器を傾けた状態で前記第２飲料水容器の側部上面が係止される第２転倒防止部とを有する第２部分を備え、
前記第１転倒防止部の前部が前記側受部となっており、前記第１転倒防止部の後部が前記第２転倒防止部となっている、ボトルホルダー。
【請求項２】
前記第１部分と前記第２部分とをヒンジを介して角度変更自在に接続した、請求項１記載のボトルホルダー。
【発明の詳細な説明】
【０００１】
【産業上の利用分野】
この発明は、たとえば缶またはペットボトル等のような飲料水容器を保持する、車載用のボトルホルダーに関する。
【０００２】
【従来の技術】
図８に示す従来のボトルホルダー１は、缶またはペットボトル等のような飲料水容器２を真っ直ぐに保持するものであり、飲料水容器２の底部を受ける底受部３と、飲料水容器２が倒れようとしたときに飲料水容器２の側部が係止されるリング状の係止部４とを含む。
【０００３】
そして、ボトルホルダー１を自動車内で使用する際には、底受部３がフロントガラス５の内側の平坦部６等に粘着シール等を用いて固定されていた。
【０００４】
【発明が解決しようとする課題】
従来のボトルホルダー１では、飲料水容器２を真っ直ぐに保持するようにしていたので、これをフロントガラス５の内側の平坦部６に取り付けた場合には、ペットボトル等のような高さの高い飲料水容器２ａを保持することができないという問題があった。つまり、飲料水容器２ａを保持しようとすると、図８中の二点鎖線で示すように、飲料水容器２ａの上端部がフロントガラス５に突き当たるおそれがあった。
【０００５】
それゆえに、この発明の主たる目的は、フロントガラスの内側空間等のような狭小空間においても、高さの高い飲料水容器を保持できる、ボトルホルダーを提供することである。
【０００６】
【課題を解決するための手段】
この発明は、第１飲料水容器１２を真っ直ぐに保持するか、第２飲料水容器１４を斜めに保持するかを選択して用いることのできる、ボトルホルダー１０であって、第１飲料水容器１２または第２飲料水容器１４の底部を受ける底受部２０を有し、平坦部４４に接合材を用いて固定される第１部分１６、および第１部分１６の上部に接合され、第１飲料水容器１２が倒れようとしたときに第１飲料水容器１２の側部が係止されるリング状の第１転倒防止部２８と、第２飲料水容器１４を傾けた状態で第２飲料水容器１４の側部下面を受ける側受部３６と、第２飲料水容器１４を傾けた状態で第２飲料水容器１４の側部上面が係止される第２転倒防止部３８とを有する第２部分１８を備え、第１転倒防止部２８の前部が側受部３６となっており、第１転倒防止部２８の後部が第２転倒防止部３８となっている、ボトルホルダー１０である。
【０００７】
なお、本発明の説明においては、真っ直ぐに保持される飲料水容器を「第１飲料水容器」と呼び、斜めに保持される飲料水容器を「第２飲料水容器」と呼ぶが、これらの称呼は、飲料水容器を物理的に区別するものではない。したがって、第１飲料水容器１２と第２飲料水容器１４とは、別のものであってもよいし、同じものであってもよい。
【０００８】
本発明において、缶またはペットボトル等のような第１飲料水容器１２を真っ直ぐに保持する場合には、第１飲料水容器１２の底部が底受部２０で受けられる。そして、第１飲料水容器１２が倒れようとすると、第１転倒防止部２８に第１飲料水容器１２の側部が係止される。一方、缶またはペットボトル等のような第２飲料水容器１４を斜めに保持する場合には、第２飲料水容器１４の底部が底受部２０で受けられ、かつ、第２飲料水容器１４の側部下面が側受部３６で受けられる。また、第２飲料水容器１４の側部上面が第２転倒防止部３８に係止される。
【０００９】
【発明の効果】
この発明によれば、第１飲料水容器を真っ直ぐに保持するか、第２飲料水容器を斜めに保持するかを選択して用いることができる。
【００１０】
たとえば、自動車内において、ボトルホルダーをフロントガラスの内側に取り付けた場合、高さの低い缶等であれば、底受部と第１転倒防止部とによってこれを真っ直ぐに保持できる。一方、真っ直ぐに保持するとフロントガラスに突き当たるような高さの高いペットボトル等であれば、底受部と側受部と第２転倒防止部とによってこれを斜めに保持できる。
【００１１】
したがって、フロントガラスの内側空間等のような狭小空間を有効利用できる。
【００１２】
【発明の実施の形態】
図１〜図３に示したボトルホルダー１０は、図４に示すように、缶またはペットボトル等のような第１飲料水容器１２を真っ直ぐに保持するか、図５に示すように、缶またはペットボトル等のような第２飲料水容器１４を斜めに保持するかを選択して用いるものであり、第１部分１６および第２部分１８を含む。
【００１３】
第１部分１６は、第１飲料水容器１２または第２飲料水容器１４の底部を保持するものであり、底板２０ａと側壁２０ｂとを有する２つの底受部２０を含む。各底受部２０を構成する底板２０ａおよび側壁２０ｂは、互いに連続して一体に形成され、底受部２０どうしの境界部には、仕切り部２２ａおよび２２ｂが形成される。そして、これらの仕切り部２２ａおよび２２ｂには、ネジ２４が挿入されるネジ穴２６が形成される。
【００１４】
第２部分１８は、第１飲料水容器１２および第２飲料水容器１４のそれぞれの側部を保持するものであり、上面が前方へ向けて低くなるように傾斜するリング状の第１転倒防止部２８を含む。第１転倒防止部２８は、第１部分１６の各底受部２０に対応する２つのＣリング状部３０を互いに連続して一体に形成した構造を有し、Ｃリング状部３０どうしの境界部には、前方に、仕切り部３２ａが形成され、後方に、仕切り部３２ａよりも高さの高い仕切り部３２ｂが形成される。そして、これらの仕切り部３２ａおよび３２ｂには、第１部分１６に形成されたネジ穴２６と連続するネジ穴３４が形成される。
【００１５】
そして、この第２部分１８においては、各Ｃリング状部３０の前部が、第２飲料水容器１４の側部下面を受ける側受部３６となり、各Ｃリング状部３０の後部が、第２飲料水容器１４の側部上面が係止される第２転倒防止部３８となる。
【００１６】
ボトルホルダー１０を組立てる際には、図２および図３に示すように、第１部分１６の上部に第２部分１８が被せられ、ネジ穴２６および３４にネジ２４がねじ込まれる。これにより、第１部分１６と第２部分１８とが互いに接合される。完成されたボトルホルダー１０においては、第１部分１６の後部と第２部分１８の後部（第２転倒防止部３８）との間に、第２飲料水容器１４の底部を収容する開口部４０が確保される。
【００１７】
ボトルホルダー１０を自動車内で使用する際には、たとえば図４および図５に示すように、第１部分１６が、フロントガラス４２の内側の平坦部４４に粘着テープ等のような接合材を用いて固定される。
【００１８】
そして、缶等のような第１飲料水容器１２を真っ直ぐに保持する場合には、図４に示すように、第１飲料水容器１２の底部が底受部２０で受けられる。自動車が揺れるなどして、真っ直ぐに保持された第１飲料水容器１２が倒れようとすると、リング状の第１転倒防止部２８に第１飲料水容器１２の側部が係止される。
【００１９】
一方、ペットボトル等のような第２飲料水容器１４を斜めに保持する場合には、図５に示すように、第２飲料水容器１４の底部が底受部２０で受けられ、かつ、第２飲料水容器１４の側部下面が側受部３６で受けられる。さらに、第２飲料水容器１４の底部の一部が開口部４０内に配置され、第２飲料水容器１４の側部上面が第２転倒防止部３８に係止される。
【００２０】
この実施例によれば、第１飲料水容器１２を真っ直ぐに保持するか、第２飲料水容器１４を斜めに保持するかを選択して用いることができる。そして、第２飲料水容器１４を斜めに保持すると、ボトルホルダー１０の上方空間が狭い場合でも第２飲料水容器１４の上端部がフロントガラス等に突き当たるのを回避できる。
【００２１】
なお、上述の実施例では、第１部分１６の底受部２０および第２部分１８のＣリング状部３０をそれぞれ２つずつ形成しているが、これらを１つずつ、または、３つ以上ずつ形成してもよい。
【００２２】
また、たとえば図６および図７に示すように、第１部分１６と第２部分１８とをヒンジ４６を介して角度変更自在に接続するようにしてもよい。
【００２３】
ヒンジ４６は、第１部分１６に形成される２つの絞め付け部４８と、第２部分１８に形成されて締め付け部４８間に嵌合される嵌合部５０と、締め付け部４８と嵌合部５０とを回動自在に接合するボルト５２とを含む。ヒンジ４６において、ボルト５２をねじ込むと、締め付け部４８どうしの間隔が狭められて嵌合部５０が挟持され、第１部分１６と第２部分１８とが互いに固定される。一方、ボルト５２を緩めると、締め付け部４８どうしの間隔が広げられて嵌合部５０の挟持が解除され、第１部分１６と第２部分１８とが互いに角度変更可能となる。
【００２４】
この実施例によれば、第１部分１６と第２部分１８との角度を変更することができるので、たとえば図７中の二点鎖線で示すように、第２飲料水容器１４の保持角度を調整することができる。つまり、第１部分１６と第２部分１８との成す角度を小さくすることにより、第２飲料水容器１４の水平面に対する傾斜角度を大きくすることができ、逆に、第１部分１６と第２部分１８との成す角度を大きくすることにより、第２飲料水容器１４の水平面に対する傾斜角度を小さくすることができる。
【００２５】
さらに、第１部分１６と第２部分１８とは、互いに別部材としてではなく、一体に形成されてもよい。
【図面の簡単な説明】
【図１】この発明の一実施例を示す斜視図である。
【図２】図１実施例の断面図である。
【図３】図１実施例の分解斜視図である。
【図４】図１実施例の使用状態を示す図解図である。
【図５】図１実施例の他の使用状態を示す図解図である。
【図６】この発明の他の実施例を示す斜視図である。
【図７】図６実施例の使用状態を示す図解図である。
【図８】従来技術を示す図解図である。
【符号の説明】
１０    …ボトルホルダー
１２    …第１飲料水容器
１４    …第２飲料水容器
１６    …第１部分
１８    …第２部分
２０    …底受部
２８    …第１転倒防止部
３６    …側受部
３８    …第２転倒防止部
４０    …開口部
【図１】
0003769221.tif 000002
【図２】
0003769221.tif 000003
【図３】
0003769221.tif 000004
【図４】
0003769221.tif 000005
【図５】
0003769221.tif 000006
【図６】
0003769221.tif 000007
【図７】
0003769221.tif 000008
【図８】
0003769221.tif 000009